(57)【要約】【課題】家具と家具の間狭いところでも、堆積してこびりついた塵埃、また、目地に入り込んだ塵埃を容易に除去することができる電気掃除機用吸込具を提供する。【解決手段】底面に設けた吸込口２３より被掃除面上の塵埃を吸引する第１吸込具１１と、同じく被掃除面上の塵埃を吸引する機能を有すると共に、前記第１吸込具１１に、上方から着脱自在に装着される第２吸込具１０とを備え、前記第２吸込具１０の先端吸気口１６の上方先端にブラシ体１８を設けたもので、このブラシ体１８の植毛２１で被掃除面を掃くことにより、被掃除面に堆積してこびりついた塵埃を擦りとり、また、目地の中に植毛が入り、目地に入り込んだ塵埃を掻き出し、吸引力により除去することができ、性能がよく、使い勝手の良い電気掃除機用吸込具を提供することができる。【選択図】図４
2013094210.tif 000002
【特許請求の範囲】
【請求項１】
底面に設けた吸込口より被掃除面上の塵埃を吸引する第１吸込具と、同じく被掃除面上の塵埃を吸引する機能を有すると共に、前記第１吸込具に、上方から着脱自在に装着される第２吸込具とを備え、前記第２吸込具の先端吸気口の上方先端にブラシ体を設けた電気掃除機用吸込具。
【請求項２】
ブラシ体を被掃除面に対して略水平下方に設けると共に、前記ブラシ体の植毛が壁にあたり曲げられたときに、前記植毛の長さが、被掃除面に届く長さより長くした請求項１に記載の電気掃除機用吸込具。
【請求項３】
ブラシ体の被掃除面に対する角度を３０度〜６０度とすると共に、前記ブラシ体の植毛の長さを、少なくとも被掃除面に届く長さとした請求項１に記載の電気掃除機用吸込具。
【請求項４】
ブラシ体を第２吸込具の先端吸気口に回動自在に設け、前記ブラシ体を略水平方向に保持付勢するバネＢを設け、前記ブラシ体に、前記第２吸込具の先端吸気口内方向の力がかかると、前記ブラシ体が前記先端吸気口内に回動自在に動き、前記ブラシ体が回動したときの植毛の長さが、被掃除面に届く長さより長い請求項１に記載の電気掃除機用吸込具。
【請求項５】
バネの付勢力に抗してブラシ体が第２吸込具内に収納され、前記第２吸込具が第１吸込具から外された際に、前記ブラシ体が、前記バネの付勢力により前記第２吸込具内から出ると共に、前記ブラシ体の植毛の長さを、被掃除面に届く長さより長くした請求項１に記載の電気掃除機用吸込具。
【請求項６】
ブラシ体の植毛の株に軟質体のチューブをつけた請求項１〜５のいずれか１項に記載の電気掃除機用吸込具。
【請求項７】
電動送風機を内蔵した掃除機本体と、請求項１〜６のいずれか１項に記載の電気掃除機用吸込具と、前記掃除機本体と前記電気掃除機用吸込具とを連通するホースを備えた電気掃除機。
【発明の詳細な説明】
【技術分野】
【０００１】
本発明は、第１吸込具と、その第１吸込具に着脱自在に装着される第２吸込具からなる電気掃除機用吸込具と電気掃除機に関するものである。
【背景技術】
【０００２】
従来のこのような電気掃除機用吸込具として、通常の床面掃除用の第１吸込具と、家具と家具の間などの狭い場所を掃除する時に使用されると共に、第１吸込具に上方から着脱自在に装着される第２吸込具から構成され、第１吸込具の底面には、走行用の回転自在のローラーと、横長で被掃除面から塵埃を吸引するための第１の吸込口が配され、第１吸込具の上面には、第２吸込具を収納する第２吸込具収納部が設けられている。
【０００３】
第２吸込具の底面には、縦長で塵埃を吸引するための第２の吸込み口が設けられ、第２吸込具の後端に、電気掃除機本体に連通接続された延長管に接続される接続パイプが左右、上下に回動自在に設けられ、その第２吸込具を第１吸込具に装着した時に、第１の吸込口と第２の吸込口が連通するようにしたものがある（例えば、特許文献１参照）。
【０００４】
通常の床面の掃除の時は、延長管に接続された第２吸込具を第１吸込具に装着して、延長管を前後、左右に操作して、第１吸込具を床面上で移動させながら掃除を行う。
【０００５】
そして、家具と家具の間の狭い所を掃除する時は、第１吸込具に設けた操作レバーを踏み込んで、第１吸込具と第２吸込具との係止を解除し、第２吸込具を延長管に接続したまま第１吸込具から外して、直ちに第２吸込具で家具と家具の間の狭いところの掃除を行うことができるようになっている。
【０００６】
第２吸込具での掃除を終えた後、第２吸込具を延長管に接続したままで、第２吸込具を、第１吸込具に設けた第２吸込具収納部に押し込むと、第２吸込具が第１吸込具に係止され、再び通常の床面清掃ができるようになっている。
【０００７】
また、特許文献２に記載されたように、第２吸込具を、第１吸込具に設けた第２吸込具収納部に押し込む時に、第１吸込具のローラーを回転させないようにして、被掃除面上での移動を規制するようにして、第２吸込具の収納性をよくしたものもある。
【先行技術文献】
【特許文献】
【０００８】
【特許文献１】特許第３８８２７７１号公報
【特許文献２】特開２００８−１４８９０９号公報
【発明の概要】
【発明が解決しようとする課題】
【０００９】
しかしながら、上記特許文献１や特許文献２に記載されたような従来の電気掃除機用吸込具の構成では、第１吸込具が入らない家具と家具の間の狭いところに溜まった塵埃を吸込力により捕集することはできるが、堆積してこびりついた塵埃、また、目地に入り込んだ塵埃を除去することができないという課題があった。
【００１０】
本発明は、上記従来の課題を解決するもので、第１吸込具が入らない家具と家具の間の狭い所に堆積してこびりついた塵埃、また、目地に入り込んだ塵埃を除去することができる性能、使用性のよい電気掃除機用吸込具及び、電気掃除機を提供することを目的とする
。
【課題を解決するための手段】
【００１１】
上記従来の課題を解決するために、本発明の電気掃除機用吸込具は、底面に設けた吸込口より被掃除面上の塵埃を吸引する第１吸込具と、同じく被掃除面上の塵埃を吸引する機能を有すると共に、前記第１吸込具に、上方から着脱自在に装着される第２吸込具とを備え、前記第２吸込具の先端吸気口の上方先端にブラシ体を設けたもので、このブラシ体の植毛で被掃除面を掃くことにより、被掃除面に堆積してこびりついた塵埃を擦りとり、また、目地の中に植毛が入り、目地に入り込んだ塵埃を掻き出し、吸引力により除去することができ、性能がよく、使い勝手の良い電気掃除機用吸込具を提供することができる。
【００１２】
また、本発明の電気掃除機は、電動送風機を内蔵した掃除機本体と、請求項１〜６のいずれか１項に記載の電気掃除機用吸込具と、前記掃除機本体と前記電気掃除機用吸込具とを連通するホースを備えたもので、ブラシ体の植毛で被掃除面を掃くことにより、被掃除面に堆積してこびりついた塵埃を擦りとり、また、目地の中に植毛が入り、目地に入り込んだ塵埃を掻き出し、吸引力により除去することができ、性能がよく、使い勝手のよい電気掃除機を提供することができる。
【発明の効果】
【００１３】
本発明の電気掃除機用吸込具及び、電気掃除機は、第２吸込具の先端吸気口の上方先端にブラシ体を設けたので、このブラシ体の植毛により、堆積してこびりついた塵埃を擦りとり、また、目地の中に植毛が入り、目地に入り込んだ塵埃を掻き出し、吸引力により除去することができ、性能がよく、使い勝手のよいものである。
【図面の簡単な説明】
【００１４】
【図１】本発明の実施の形態１における電気掃除機用吸込具を接続した電気掃除機の全体構成を示す斜視図
【図２】同電気掃除機用吸込具の第１吸込具に対する第２吸込具の着脱を説明する斜視図
【図３】同第２吸込具の側面図
【図４】同第１吸込具に第２吸込具を装着した状態を示す断面図
【図５】（ａ）同第２吸込具による隅掃除の様子を示す図、（ｂ）同第２吸込具による壁際掃除の様子を示す図、（ｃ）従来の第２吸込具による壁際掃除の様子を示す図
【図６】本発明の実施の形態２における電気掃除機用吸込具の側面図
【図７】（ａ）本発明の実施の形態３における電気掃除機用吸込具の第２吸込具の断面図、（ｂ）同第２吸込具による隅掃除の様子を示す図、（ｃ）同第２吸込具による壁際掃除の様子を示す図
【図８】（ａ）本発明の実施の形態４における電気掃除機用吸込具の第２吸込具の断面図、（ｂ）同電気掃除機用吸込具の第１吸込具に第２吸込具を装着したときの断面図
【図９】本発明の実施の形態５における電気掃除機用吸込具の第２吸込具の側面図
【発明を実施するための形態】
【００１５】
第１の発明は、底面に設けた吸込口より被掃除面上の塵埃を吸引する第１吸込具と、同じく被掃除面上の塵埃を吸引する機能を有すると共に、前記第１吸込具に、上方から着脱自在に装着される第２吸込具とを備え、前記第２吸込具の先端吸気口の上方先端にブラシ体を設けたもので、このブラシ体の植毛で被掃除面を掃くことにより、被掃除面に堆積してこびりついた塵埃を擦りとり、また、目地の中に植毛が入り、目地に入り込んだ塵埃を掻き出し、吸引力により除去することができ、性能がよく、使い勝手の良い電気掃除機用吸込具を提供することができる。
【００１６】
第２の発明は、特に、第１の発明のブラシ体を被掃除面に対して略水平下方に設けると共に、前記ブラシ体の植毛が壁にあたり曲げられたときに、前記植毛の長さが、被掃除面に届く長さより長くしたもので、被掃除面上を掃除するのに略水平下方に設けられた植毛が壁に当たったときに被掃除面に曲がり、第２吸込具の樹脂部が壁に当たる事無く、壁を傷付けず、植毛がクッションの役目を果たし、また、強く押すことによりブラシ体の植毛が曲がり、被掃除面を擦り、目地の中まで入り込み塵埃を掻き出し、吸引力により除去することができ、性能がよく、使い勝手をよくすることができる。
【００１７】
第３の発明は、特に、第１の発明のブラシ体の被掃除面に対する角度を３０度〜６０度とすると共に、前記ブラシ体の植毛の長さを、少なくとも被掃除面に届く長さとしたもので、壁に当たるまでの被掃除面に対しても、吸引力により、ブラシ体の植毛が震動し、被掃除面を叩き、こびりついた塵埃を剥がし、吸引力により除去することができ、性能がよく、使い勝手をよくすることができる。
【００１８】
第４の発明は、特に、第１の発明のブラシ体を第２吸込具の先端吸気口に回動自在に設け、前記ブラシ体を略水平方向に保持付勢するバネＢを設け、前記ブラシ体に、前記第２吸込具の先端吸気口内方向の力がかかると、前記ブラシ体が前記先端吸気口内に回動自在に動き、前記ブラシ体が回動したときの植毛の長さが、被掃除面に届く長さより長くしたもので、略水平状態で被掃除面を掃くことも出来、また、略水平に設けられた植毛が壁に当たったときに被掃除面側に回動し、被掃除面を擦り、また、塵埃を第２吸込具の先端吸気口内部に送り、また、目地の中まで入り込み塵埃を掻き出し、吸引力により除去することができ、性能がよく、使い勝手をよくすることができる。
【００１９】
第５の発明は、特に、第１の発明の電気掃除機用吸込具において、バネの付勢力に抗してブラシ体が第２吸込具内に収納され、前記第２吸込具が第１吸込具から外された際に、前記ブラシ体が、前記バネの付勢力により前記第２吸込具内から出ると共に、前記ブラシ体の植毛の長さを、被掃除面に届く長さより長くしたもので、被掃除面を擦り、また、塵埃を第２吸込具の先端吸気口内部に送り、また、目地の中まで入り込み塵埃を掻き出し、吸引力により除去することができ、性能がよく、使い勝手をよくすることができ、収納状態で第２吸込具内に入るため、見栄えをよくすることができる。
【００２０】
第６の発明は、特に、第１〜５のいずれか一つの発明のブラシ体の植毛の株に軟質体のチューブをつけたもので、植毛が硬いと被掃除面に傷が付くこともあるので、被掃除面にあたる先端は柔らかくし、また、ブラシ体の腰を強くし、植毛がばらけるのを防ぎ、性能を維持することができる。
【００２１】
第７の発明に係る電気掃除機は、電動送風機を内蔵した掃除機本体と、請求項１〜６のいずれか１項に記載の電気掃除機用吸込具と、前記掃除機本体と前記電気掃除機用吸込具とを連通するホースを備えたもので、ブラシ体の植毛で被掃除面を掃くことにより、被掃除面に堆積してこびりついた塵埃を擦りとり、また、目地の中に植毛が入り、目地に入り込んだ塵埃を掻き出し、吸引力により除去することができ、性能がよく、使い勝手のよい電気掃除機を提供することができる。
【００２２】
以下、本発明の実施の形態について、図面を参照しながら説明する。なお、この実施の形態によって本発明が限定されるものではない。
【００２３】
（実施の形態１）
本発明の実施の形態１における電気掃除機用吸込具について、図１から図５を用いて説明する。図１は、本実施の形態における電気掃除機用吸込具を接続した電気掃除機の全体構成を示す斜視図である。
【００２４】
図１において、本実施の形態における電気掃除機１は、電動送風機（図示せず）を内蔵した掃除機本体７と、一端が、ホース継ぎ手５を介して掃除機本体７に接続され、他端に手元ハンドル４を有するホース６と、ホース６の手元ハンドル４に接続される延長管２とを備え、延長管２の上流側端部には、本実施の形態における電気掃除機用吸込具３（以下「吸込具３」という）が接続されている。
【００２５】
吸込具３は、図２から図４に示すように、延長管２に連結するための連結管９に回動連結部８を介して吸気ヘッド３１が接続された第２吸込具１０と、第２吸込具１０が上方から着脱自在に装着される第１吸込具１１から構成されている。また、第２吸込具１０の先端吸気口１６の先端上部に植毛２１を有したブラシ体１８を設けている。
【００２６】
第１吸込具１１に対する第２吸込具１０の着脱は、第１吸込具１１に設けられた操作レバー１３を押し下げることにより、第２吸込具１０を把持する保持具１２の把持状態が解放されて、第２吸込具１０を第１吸込具１１から離脱させることができ、第２吸込具１０を用いて、家具と家具の狭い場所の掃除ができ、保持具１２内に、第２吸込具１０を載せて軽く押圧することにより、第２吸込具１０は、第１吸込具１１に装着され、第１吸込具１１を用いて床などの被掃除面の掃除を効率よく行うことができる。
【００２７】
上記第２吸込具１０は、図３に示すように、第１吸込具１１への装着方向面となる下側面には、起毛体である起毛布１４が貼着され、また、下面吸気口１５が開口し、それぞれの脇にも起毛布１４が貼着されている。
【００２８】
また、先端側には、第１吸込具１１の吸込口２３に連通する先端吸気口１６が開口している。
【００２９】
第２吸込具１０の前部両側には、第１吸込具１１に設けられた回転ブラシ２０を回転駆動する電動機（図示せず）に給電接続するための左右一対の給電接点１７が設けられている。
【００３０】
掃除機本体７からの配線リードセン（図示せず）が、ホース６、手元ハンドル４、延長管２に連結するときに、連結管９に設けられた給電部１９が、延長管２の先端配線（図示せず）に電気的に接続され、給電部１９から、第２吸込具１０内を配線して前記給電接点１７に配線接続されている。
【００３１】
上記起毛布１４は、シート面上に細かい毛を密集起毛させて形成されたもので、下面吸気口１５の両側を閉鎖して下面吸気口１５からの吸塵能力を向上させ、第２吸込具１０の動きに応じて、被掃除面の凹部の塵埃を掻き出し、掃除面の塵埃を下面吸気口１５に導き、掃除面を拭く作用効果を発揮すると共に、家具や掃除面を傷つけないバンパーの作用も有するものである。この第２吸込具１０に適用するのに、起毛布１４が最も望ましいものであるが、同形状のブラシ、フェルト等を用いることもできる。
【００３２】
上記第１吸込具１１は、図４に内部構造を示すように、所謂パワーノズルとして構成され、ブラシやブレードなどを回転軸に取り付けた回転ブラシ２０を、電動機（図示せず）によって回転駆動し、絨毯等から塵埃を掻き出す機能を備えている。前記電動機（図示せず）への給電は、第２吸込具１０が装着されることにより、第２吸込具１０に配設された一対の給電接点１７が、第１吸込具１１に配設された一対の受電接点２２に摺動接触することによりなされる。
【００３３】
ここで、第２吸込具１０を、第１吸込具１１から取り外すと給電接点１７から受電接点
２２が離れ、電動機への電源の供給がなくなり、回転ブラシ２０の回転が停止する。再度、第２吸込具１０を第１吸込具１１に取り付けると、電動機への電源が供給され、回転ブラシ２０は回転を開始する。このように第２吸込具１０を、第１吸込具１１から取り外す動作で回転ブラシ２０の回転が止まるので次の動作にスムーズに移行でき、また取り外した第１吸込具１１の回転ブラシ２０で被掃除面を傷つけることもない。
【００３４】
また、第２吸込具１０に設けた給電接点１７と、第１吸込具１１に設けた受電接点２２は、上記回動連結部８より前方の第２吸込具１０が回動しない位置に取り付けているので両接点の電気的接続は確実にでき、耐久性の向上が図れる。
【００３５】
第１吸込具１１は、前記回転ブラシ２０を収容する横長の吸込口２３を形成した幅広の吸込部２４と、その中央部分から後方に突出する走行部２５とを備え、平面形状がＴの字状に形成され、図２に示すように、上面側に走行部２５の後方端から吸込部２４にかけて第２吸込具収納凹部２６が形成されている。
【００３６】
第２吸込具収納凹部２６内の前方側には、前記吸込口２３に連通する連通口２７が開口されており、第２吸込具収納凹部２６に第２吸込具１０を装着すると、第２吸込具１０に形成された先端吸気口１６と前記連通口２７との間が連通し、掃除機本体７への空気流路が形成される。
【００３７】
図４は、第１吸込具１１に第２吸込具１０を装着した状態を示す断面図で、第１吸込具１１に第２吸込具１０が装着されると、第２吸込具収納凹部２６内の先端吸気口１６と吸込口２３から連結管９に至る空気流路を形成する。また、第２吸込具１０の下面吸気口１５は、第２吸込具収納凹部２６の底面によって塞がれるので、第２吸込具１０を、第１吸込具１１に装着した状態では、吸込口２３からの吸気のみとなり、第１吸込具１１による吸塵能力が損なわれない。また、ブラシ体１８は、第２吸込具１０の先端吸気口１６上方先端に設けられているが、第２吸込具１０が第１吸込具１１に収納されると、植毛２１が第１吸込具１１の上面に載った状態になる。
【００３８】
図２に示すように、第１吸込具１１に形成された第２吸込具収納凹部２６は、第２吸込具１０の高さ方向寸法と略同等の深さに形成されており、これに、第２吸込具１０を収容すると、図３及び図４に示すように、第１吸込具１１の上面から第２吸込具１０が少し出るのみで、家具の下に空いた空間などに容易に挿入できる扁平な第１吸込具１１に構成することができる。また、第１吸込具１１の高さは、図４に示すように第２吸込具収納凹部２６の両側にローラー３０を配設したことによっても高さ減少の効果が得られている。
【００３９】
第１吸込具１１に設けられた操作レバー１３を下方に押し下げる（足先で踏む）と、第２吸込具１０を第１吸込具１１から離脱させることができる。また、下面吸気口１５は、開放状態になるので、先端吸気口１６の下方と複数の下面吸気口１５から連結管９に至る空気流路が形成され、第２吸込具１０による集塵性能が得られる。
【００４０】
図５に示すように、家具と家具の間で、第１吸込具１１が入らない場合は、第２吸込具１０にてこの狭い場所の掃除を行う。図５（ａ）に示すように、隅掃除でブラシ体１８の植毛２１を隅部に当てて、上下左右に動かすことで、植毛２１が、隅部に溜まった塵埃を掻き出すだけでなく、吸引力だけでは除去できない堆積してこびりついた塵埃も、機械的な植毛２１により擦り除去される。
【００４１】
また、植毛２１を、第２吸込具１０の先端吸気口１６の上方先端に設けているため、隅部に植毛２１が当たっているかどうかを目視確認でき、掃除を行いやすくしている。
【００４２】
図５（ｂ）に示すのは、壁際掃除であり、床面を滑らすようにして被掃除面を掃除する場合でも、略水平下方に植毛２１が設けられているため、壁に当たると植毛２１がたわみ、その植毛２１の長さが床面に届くよりも長いため、壁と床の隅までも植毛２１が届き、塵埃を擦りとることができ、壁に強く押し付けても、植毛２１が第２吸込具１０の樹脂部と壁の間に存在し、樹脂部が壁に当たることなく壁を傷つける心配もない。
【００４３】
また、植毛２１の長さは、床面に届くよりも長いため、フローリング等の目地にも植毛２１が入り込んで、塵埃を掻き出すことができる。図５（ｃ）は、従来の壁際掃除であり、第２吸込具１０の前方の壁との間に起毛布１４も届かない、吸引力だけで塵埃を除去するしかない状態を示している。
【００４４】
以上のように本実施の形態における電気掃除機用吸込具によれば、ブラシ体１８の植毛２１を第２吸込具１０の先端吸気口１６の上方先端に設けることにより、今まで除去できなかった家具と家具の間で第１吸込具１１が入らない場所でも、植毛２１により吸引力では取れなかったこびりついた塵埃まで除去できるようになり、性能がよく、使い勝手のよい電気掃除機用吸込具を提供することができる。
【００４５】
（実施の形態２）
次に、本発明の実施の形態２における電気掃除機用吸込具について、図６を用いて説明する。図６は、本実施の形態における電気掃除機用吸込具の側面図である。なお、上記実施の形態１における電気掃除機用吸込具と同一部品については、同一符号を付してその説明を割愛する。
【００４６】
本実施の形態における電気掃除機用吸込具は、図６に示すように、第２吸込具１０の先端吸気口１６の上方先端にブラシ体１８が設けられると共に、植毛２１を、床面に対して角度Ａ°で、前下がり状に傾斜させたものである。角度Ａ°は、３０°から６０°である。また、植毛２１は、床面より長く構成されている。
【００４７】
掃除機本体７に連通接続された延長管２の先端に吸込具３を取り付け、その吸込具３を被掃除面に置くと、吸引力により、植毛２１が震動をおこし床面を叩き、塵埃を擦りとる。また、植毛２１が、床面に届く長さより長いため、フローリングの目地に植毛２１が入り込み、第２吸込具１０を操作することによって、押す場合、植毛２１の先端で塵埃を突っ張るようになるため、塵埃をこそぎ取ることができる。角度Ａが、３０°以下では、震動が起こらず、また、６０°より大きいと植毛２１が吸引力により、先端吸気口１６に張り付いてしまい、塵埃を除去することができない。
【００４８】
以上のように、本実施の形態における電気掃除機用吸込具によれば、植毛２１を有したブラシ体１８の床面との角度を３０°から６０°にすることにより、植毛２１を、吸引力により震動させ被掃除面の塵埃を植毛２１で叩き、擦り取ることができ、また、目地に入って除去しにくい塵埃もこそぎ取ることができ、性能がよく、使い勝手のよい電気掃除機用吸込具を提供することができる。
【００４９】
（実施の形態３）
次に、本発明の実施の形態３における電気掃除機用吸込具について、図７を用いて説明する。図７（ａ）は、本発明の実施の形態３における電気掃除機用吸込具の第２吸込具の断面図、図７（ｂ）は、同第２吸込具による隅掃除の様子を示す図、図７（ｃ）は、同第２吸込具による壁際掃除の様子を示す図である。なお、上記実施の形態における電気掃除機用吸込具と同一部品については、同一符号を付してその説明を割愛する。
【００５０】
本実施の形態における電気掃除機用吸込具は、図７に示すように、第２吸込具１０の先
端吸気口１６に、植毛２１を有したブラシ体１８の回動軸３３を回動自在に取り付けると共に、バネＢ３２により、ブラシ体１８を略水平下向きに付勢保持したものである。
【００５１】
このブラシ体１８の動作方向は、先端吸気口１６内に動くようになっている。
【００５２】
隅掃除をする場合は、図７（ｂ）に示すように、ブラシ体１８が略水平下向きに保持されている状態で隅部の掃除を行うことができ、ブラシ体１８を横方向に動かしこびりついた吸引力だけでは取れない塵埃を擦りとる。
【００５３】
また、壁際を掃除するときは、図７（ｃ）に示すように、第２吸込具１０を、被掃除面上に沿って動かし、植毛２１が、壁に当たるとブラシ体１８は、水平より下方を向いているため、回動軸３３を中心に回動し、植毛２１が、壁と床面の隅部に当たり、塵埃を掻き出すことができる。
【００５４】
以上のように、本実施の形態における電気掃除機用吸込具によれば、第２吸込具１０の先端吸気口１６に、植毛２１を有したブラシ体１８を回動軸３３を介して回動自在に設け、そのブラシ体１８が略水平下向きに保持され、動作時にそのブラシ体１８が先端吸気口１６内に動くことで、ブラシ体１８に無理な力をかけずにこびりついた吸引力だけではとれない塵埃を擦りとることができ、性能がよく、使い勝手のよい電気掃除機用吸込具を提供することができる。
【００５５】
（実施の形態４）
次に、本発明の実施の形態４における電気掃除機用吸込具について、図８を用いて説明する。図８（ａ）は、本実施の形態における電気掃除機用吸込具の第２吸込具の断面図であり、図８（ｂ）は、同電気掃除機用吸込具の第１吸込具に第２吸込具を装着したときの断面図である。なお、上記実施の形態における電気掃除機用吸込具と同一部品については、同一符号を付してその説明を割愛する。
【００５６】
本実施の形態における電気掃除機用吸込具は、図８に示すように、ブラシ体１８を第２吸込具１０に出没自在に設けると共に、バネ２８で、ブラシ体１８の植毛２１が外部に突出するようにブラシ体１８を付勢したものである。
【００５７】
図８（ｂ）では、植毛２１を有したブラシ体１８が、バネ２８の付勢力に抗して、第２吸込具１０内にバネ２８を押し縮めるように装着され、外部からは見えないようになっている。図８（ａ）では、第２吸込具１０を使う場合、第１吸込具１１に装着されているときには押し縮められていたバネ２８が延びて、ブラシ体１８の植毛２１が第２吸込具１０の先端吸気口１６の上部先端から出るように構成されており、こびりついた塵埃の除去についてはこの植毛２１にて行うことができる。
【００５８】
以上のように本実施の形態における電気掃除機用吸込具によれば、第２吸込具１０を第１吸込具１１から外して単体で使う場合だけ、ブラシ体１８が出現し、吸引力だけでは除去できないこびりついた塵埃を除去し、第２吸込具１０を第１吸込具１１に装着した状態では、植毛２１を有したブラシ体１８が見えないので、性能も良く、見栄えも良い電気掃除機用吸込具を提供することができる。
【００５９】
（実施の形態５）
次に、本発明の実施の形態５における電気掃除機用吸込具について、図９を用いて説明する。図９は、本実施の形態における電気掃除機用吸込具の第２吸込具の側面図である。なお、上記実施の形態における電気掃除機用吸込具と同一部品については、同一符号を付してその説明を割愛する。
【００６０】
本実施の形態における電気掃除機用吸込具は、図９に示すように、ブラシ体１８の植毛２１の株に軟質体のチューブ２９をつけたものである。
【００６１】
隅掃除等を行う場合、植毛２１は、床面、家具を傷つけないように柔らかい材質を使っているが、軽く掃いただけで擦り取れる場合は問題ないが、取れにくい場合、力をかけて擦り取ろうとして、植毛２１に折れ曲がる力が加わる。このため、軟質体のチューブ２９を植毛２１の株ごとに取り付けて、植毛２１に力をかけようとしても、軟質体のチューブ２９が、植毛２１の１本１本にかかるのを１株全体で受け、かつ、軟質体のチューブ２９が補強するようにしている。
【００６２】
このため、植毛２１の腰も強く、使い勝手が良く、初期の使用性を維持できる。また、塵埃が軟質体のチューブ２９により止められ、植毛２１のブラシ体１８の根元まで入り込まず、植毛２１からの塵埃の除去性がよい。
【００６３】
以上のように本実施の形態により、ブラシ体１８の植毛２１に軟質体のチューブ２９を設ける構成にすることで、軟質体のチューブ２９が植毛２１の変形を防ぎ、腰の強さを維持し、さらに植毛２１についた塵埃を簡単に除去できるようにした電気掃除機用吸込具を提供することができる。
【００６４】
また、電動送風機を内蔵した掃除機本体７と、上記実施の形態のいずれかに記載された吸込具３とを、ホース６で接続することにより、ブラシ体１８の植毛２１で被掃除面を掃いて、被掃除面に堆積してこびりついた塵埃を擦りとり、また、目地の中に植毛が入り、目地に入り込んだ塵埃を掻き出し、吸引力により除去することができ、性能がよく、使い勝手のよい電気掃除機を提供することができる。
【産業上の利用可能性】
【００６５】
以上のように、本発明に係る電気掃除機用吸込具及び電気掃除機は、第１吸込具が入りこめない狭い場所においても、吸引力だけでは除去できなかったこびりついた塵埃を除去することができ、性能がよく、使い勝手がよいもので、一般家庭用の電気掃除機のみならず、産業用の電気掃除機にも広範囲に利用することができる。
【符号の説明】
【００６６】
３  電気掃除機用吸込具（吸込具）
７  掃除機本体
１０  第２吸込具
１１  第１吸込具
１６  先端吸気口
１８  ブラシ体
２１  植毛
２３  吸込口
２８  バネ
２９  チューブ
３２  バネＢ
３３  回動軸
【図１】
2013094210.tif 000003
【図２】
2013094210.tif 000004
【図３】
2013094210.tif 000005
【図４】
2013094210.tif 000006
【図５】
2013094210.tif 000007
【図６】
2013094210.tif 000008
【図７】
2013094210.tif 000009
【図８】
2013094210.tif 000010
【図９】
2013094210.tif 000011